(57)【要約】【課題】  水槽やバケツ等のため水を、自動的に少量ずつ給水し排水し、水浄化しながら、人手をかけることなく、水耕栽培が楽しめる水耕栽培箱を提供する。さらに、構造簡単で、安価に製作できる水耕栽培箱を提供する。【解決手段】  箱１０内に埋設した吸水透水物質５０と、細パイプ２１のサイホン作用による給水装置２０と、エアポンプ３０の送り出し空気による排水装置４０とを備え、箱１０内を水循環による水耕栽培ができるようにした水耕栽培箱において、箱１０内に水生生物６０のタニシ貝と糸ミミズを共生させるようにして水浄化ができるようにしたものである。【選択図】        図１
0003166473.tif 000002
【実用新案登録請求の範囲】
【請求項１】
箱１０内に埋設した吸水透水物質５０と、細パイプ２１のサイホン作用による給水装置２０と、エアポンプ３０の送り出し空気による排水装置４０とを備え、箱１０内を水循環による水耕栽培ができるようにした水耕栽培箱において、箱１０内に水生生物６０のタニシ貝と糸ミミズを共生させるようにして水浄化ができるようにしたことを特徴とする水耕栽培箱。
【考案の詳細な説明】
【技術分野】
【０００１】
本考案は、セリ、ミツバなどの水耕栽培が楽しめるようにした水耕栽培箱に関する。
【背景技術】
【０００２】
従来の水耕栽培のうち、手軽に庭先や室内で水耕栽培ができるようにした水耕栽培箱は、小箱に自然に小量ずつ給水できるサイホン式の給水装置と、魚類水槽で使用される振動式等の簡易なエアポンプを利用した小量づつ排水できる排水装置を利用して、砂土等の吸水透水物質により水循環させながら、人手をかけることなく、無人で、水槽内を、水循環させながら、水耕栽培できる水耕栽培箱があったが、溜水７０や水循環のない庭池等の止水を利用して給水する場合が多く、アオコその他の植物プランクトンの発生に見舞われ、無人や長期間人手をかけずに、水耕栽培を行うことは困難であった。そこで、本考案者は、水耕栽培箱内にタニシ貝と糸ミミズを共生させることにより人手をかけることなく水耕栽培することに成功した。
【先行技術文献】
【特許文献】
【０００３】
【特許文献１】実用新案登録第３１０３２４１号公報
【考案の概要】
【考案が解決しようとする課題】
【０００４】
本考案は、庭先や室内で手軽に水耕栽培ができるようにした水耕栽培箱を提供するものである。
また、本考案は、水槽やバケツ等のため水を、自動的に少量ずつ給水し排水し、水浄化しながら、人手をかけることなく、水耕栽培が楽しめる水耕栽培箱を提供することにある。
さらに、本考案は、構造簡単で、安価に製作できる水耕栽培箱を提供するものである。
【課題を解決するための手段】
【０００５】
本考案水耕栽培箱は、上記課題を達成するため、図示するように、箱１０内に埋設した吸水透水物質５０と、細パイプ２１のサイホン作用による給水装置２０と、エアポンプ３０の送り出し空気による排水装置４０とを備え、箱１０内を水循環による水耕栽培ができるようにすると共に、箱１０内に水生生物６０のタニシ貝と糸ミミズとを共生させるようにして水浄化ができるようにしたものである。
【考案の効果】
【０００６】
本考案は、小箱で自動的に小量ずつ給水、排水及び水循環しながら水耕栽培ができ、また、水生生物のタニシ貝と糸ミミズによる水浄化ができるので、何らの労力も必要とせず、さらに、溜水利用も水道の小量の落滴や雨水等を利用して無人管理できる。
【図面の簡単な説明】
【０００７】
【図１】本考案の実施例の全体説明図である。
【図２】給水装置の一例を示す説明図である。
【図３】排水装置の一例を示す説明図である。
【考案を実施するための形態】
【０００８】
本考案は、市販のプランター等の小箱と極細パイプと金魚用エアポンプとタニシ貝、糸ミミズの水生生物を備えたものである。
【実施例】
【０００９】
本考案の水耕栽培箱の実施例が図１乃至図３に示されている。
本考案実施例の水耕栽培箱は、小箱１０、サイホン用細パイプ２１からなる給水装置２０、空気送りパイプ３１を備えたエアポンプ３０、排水パイプ４１を備えた排水装置４０、吸水透水物質５０及び水浄化用のタニシ貝と糸ミミズの共生生物６０を備えている。
小箱１０は、ガラス製箱、合成樹脂製箱等水密であればいかなる箱でもよい。
給水装置２０は、サイホン作用を行うため、内径２〜３ミリメートル程度の合成樹脂製細パイプ２１を備えている。また、パイプ２１は、太パイプでも内管内に脱脂綿、繊維質物質などを充填したものでもよい。
エアポンプ３０は、観賞魚用のバイブレーション式のもので充分である。
排水装置４０は、屈曲自在の軟質合成樹脂パイプ４１の中間に同じパイプを分岐したもので、分岐は融着、接着等で容易に製作できるほか三方継手を利用して分岐させてもよい。
吸水透水物質５０は、通常の土砂、ロックウール、合成樹脂スポンジブロックなどが使用できる。
水浄化用共生生物６０は、タニシ貝、糸ミミズである。
従って、本考案の水耕栽培箱は、水耕栽培に適した、セリ、ミツバ等が簡単に、自動的に栽培でき、楽しむことができる。
【産業上の利用可能性】
【００１０】
本考案水耕栽培箱は、容易に量産でき、また、安価に製作できる。
【符号の説明】
【００１１】
１０    箱
２０    給水装置
２１    細パイプ
３０    エアポンプ
４０    排水装置
５０    吸水透水物質
６０    水浄化水生共生生物（タニシ貝、糸ミミズ）
【図１】
0003166473.tif 000003
【図２】
0003166473.tif 000004
【図３】
0003166473.tif 000005
【手続補正書】
【提出日】平成22年12月13日(2010.12.13)
【手続補正１】
【補正対象書類名】明細書
【補正対象項目名】全文
【補正方法】変更
【補正の内容】
【考案の詳細な説明】
【技術分野】
【０００１】  本考案は、セリ、ミツバなどの水耕栽培が楽しめるようにした水耕栽培箱に関する。
【背景技術】
【０００２】  従来の水耕栽培のうち、手軽に庭先や室内で水耕栽培ができるようにした水耕栽培箱は、小箱に自然に小量ずつ給水できるサイホン式の給水装置と、魚類水槽で使用される振動式等の簡易なエアポンプを利用した小量づつ排水できる排水装置を利用して、砂土等の吸水透水物質により水循環させながら、人手をかけることなく、無人で、水槽内を、水循環させながら、水耕栽培できる水耕栽培箱があったが、溜水７０や水循環のない庭池等の止水を利用して給水する場合が多く、アオコその他の植物プランクトンの発生に見舞われ、無人や長期間人手をかけずに、水耕栽培を行うことは困難であった。そこで、本考案者は、水耕栽培箱内にタニシ貝と糸ミミズを共生させることにより人手をかけることなく水耕栽培することに成功した。
【先行技術文献】
【特許文献】
【０００３】
【特許文献１】実用新案登録第３１０３２４１号公報
【考案の概要】
【考案が解決しようとする課題】
【０００４】  本考案は、庭先や室内で手軽に水耕栽培ができるようにした水耕栽培箱を提供するものである。  また、本考案は、水槽やバケツ等のため水を、自動的に少量ずつ給水し排水し、水浄化しながら、人手をかけることなく、水耕栽培が楽しめる水耕栽培箱を提供することにある。  さらに、本考案は、構造簡単で、安価に製作できる水耕栽培箱を提供するものである。
【課題を解決するための手段】
【０００５】  本考案水耕栽培箱は、上記課題を達成するため、図示するように、箱１０内に埋設した砂土、ロックウール等の吸水透水物質５０と、細パイプ２１のサイホン作用による給水装置２０と、エアポンプ３０の送り出し空気を、パイプ４１の分岐した一方の分岐パイプから、ため水７０に排出し、他方の分岐パイプから箱１０の水をため水７０に排水する排水装置４０と、箱１０内の吸水透水物質５０に配置したタニシ貝と糸ミミズを共生できるようにした水生生物６０とを備えて、箱１０内に、ため水７０を給水装置２０により給水し、エアポンプ３０及び排水装置４０により、箱１０の水を、ため水７０に排水して、箱１０内を水循環できるようにすると共に、箱１０内の吸水透水物質５０に配置した水生生物６０により、水浄化ができるようにしたものである。
【考案の効果】
【０００６】  本考案は、小箱で自動的に小量ずつ給水、排水及び水循環しながら水耕栽培ができると共に、水生生物のタニシ貝と糸ミミズによる水浄化ができるので、アオコその他の植物プランクトンの発生に見舞われることなく、何らの労力も必要とせず、さらに、ため水利用も水道の小量の落滴や雨水等を利用して無人管理できる。
【図面の簡単な説明】
【０００７】
【図１】本考案の実施例の全体説明図である。
【図２】給水装置の一例を示す説明図である。
【図３】排水装置の一例を示す説明図である。
【考案を実施するための形態】
【０００８】  本考案水耕栽培箱の最良の形態が実施例の図１乃至図３に示されている。
【実施例】
【０００９】  本考案の水耕栽培箱の実施例が図１乃至図３に示されている。  本考案実施例の水耕栽培箱は、小箱１０、サイホン用細パイプ２１からなる給水装置２０、空気送りパイプ３１を備えたエアポンプ３０、排水パイプ４１を備えた排水装置４０、吸水透水物質５０及び水浄化用のタニシ貝と糸ミミズの共生生物６０を備えている。  小箱１０は、ガラス製箱、合成樹脂製箱等水密であればいかなる箱でもよい。  給水装置２０は、サイホン作用を行うため、内径２〜３ミリメートル程度の合成樹脂製細パイプ２１を備えている。また、パイプ２１は、太パイプでも内管内に脱脂綿、繊維質物質などを充填したものでもよい。  エアポンプ３０は、観賞魚用のバイブレーション式のもので充分である。  排水装置４０は、屈曲自在の軟質合成樹脂パイプ４１の中間に同じパイプを分岐したもので、分岐は融着、接着等で容易に製作できるほか三方継手を利用して分岐させてもよい。排水装置４０は、パイプ４１の分岐した一方の分岐パイプから、エアポンプ３０の送り出し空気をため水７０に排出し、他方の分岐パイプから箱１０の水をため水７０に排水するものである。  吸水透水物質５０は、通常の砂土、ロックウール、合成樹脂スポンジブロックなどが使用できる。  水浄化用共生生物６０は、タニシ貝、糸ミミズである。  従って、箱１０内に、ため水７０を給水装置２０により細パイプ２１のサイホン作用により給水し、エアポンプ３０の送り出し空気を排水装置４０の一方の分岐パイプからため水に排出し、他方の分岐パイプから箱１０の水を、ため水７０に排水して、箱１０内を水循環できるようにすると共に、箱１０内の吸水透水物質５０に配置したタニシ貝と糸ミミズの共生による水生生物６０により、水浄化ができるようにしているので、本考案の水耕栽培箱は、水循環と水浄化が同時にでき、水耕栽培に適した、セリ、ミツバ等が容易に栽培できて、楽しむことができる。
【産業上の利用可能性】
【００１０】  本考案水耕栽培箱は、容易に量産でき、また、安価に製作できる。
【符号の説明】
【００１１】      １０    箱      ２０    給水装置      ２１    細パイプ      ３０    エアポンプ      ４０    排水装置      ５０    吸水透水物質      ６０    水浄化水生共生生物（タニシ貝、糸ミミズ） 
【手続補正２】
【補正対象書類名】実用新案登録請求の範囲
【補正対象項目名】全文
【補正方法】変更
【補正の内容】
【実用新案登録請求の範囲】
【請求項１】
箱１０内に埋設した砂土、ロックウール等の吸水透水物質５０と、細パイプ２１のサイホン作用による給水装置２０と、エアポンプ３０の送り出し空気を、パイプ４１の分岐した一方の分岐パイプから、ため水７０に排出し、他方の分岐パイプから箱１０の水をため水７０に排水する排水装置４０と、箱１０内の吸水透水物質５０に配置したタニシ貝と糸ミミズを共生できるようにした水生生物６０とを備えて、箱１０内に、ため水７０を給水装置２０により給水し、エアポンプ３０及び排水装置４０により、箱１０の水を、ため水７０に排水して、箱１０内を水循環できるようにすると共に、箱１０内の吸水透水物質５０に配置した水生生物６０により、水浄化ができるようにしたことを特徴とする水耕栽培箱。